(57)【要約】      （修正有）【課題】従来に比べ、綺麗に形の整ったプリーツ部を簡単に作成できる飾りリボン作成装置を提供する。【解決手段】飾りリボン作成装置１は、ひだ状のプリーツ部を有する飾りリボンを作成するものであり、略円柱状に形成され、その軸方向に開口するとともに円周方向に所定間隔で配列された放射状の複数のスリット５２ａを有するドラム５と、ドラム５の軸方向に設けられ、当該軸方向に沿って複数のスリット５２ａ内に個別にリボン生地Ｃを押込み可能な押込み部３５とを備え、ドラム５を回転させながら、押込み部３５により長尺なリボン生地Ｃを複数のスリット５２ａ内に順次押し込むことで、プリーツ部を作成する。【選択図】図９
0003202693.tif 000002
【実用新案登録請求の範囲】
【請求項１】
ひだ状のプリーツ部を有する飾りリボンを作成する飾りリボン作成装置であって、
略円柱状に形成され、その軸方向に開口するとともに円周方向に所定間隔で配列された放射状の複数のスリットを有するドラムと、
前記ドラムの軸方向に設けられ、当該軸方向に沿って前記複数のスリット内に個別にリボン生地を押込み可能な押込み手段と、
を備え、
前記ドラムを回転させながら、前記押込み手段により長尺なリボン生地を前記複数のスリット内に順次押し込むことで、前記プリーツ部を作成することを特徴とする飾りリボン作成装置。
【請求項２】
前記押込み手段に対し前記ドラムの回転方向の上流側に設けられ、長尺なリボン生地を前記押込み手段に向かって送り出す生地送り手段を備え、
前記生地送り手段は、前記リボン生地を、前記ドラムの内径側から外径側に向かうに連れて当該ドラムから離間するように幅方向に傾斜させた状態で、前記押込み手段に向かって送り出すことを特徴とする請求項１に記載の飾りリボン作成装置。
【請求項３】
前記押込み手段に対し前記ドラムの回転方向の下流側に設けられ、前記ドラムの軸方向の端面との間でリボン生地を挟持可能な挟持手段を備え、
前記押込み手段がスリット内にリボン生地を押し込むときに、当該スリットと前記回転方向の下流側に隣接する他のスリットとの間に位置するリボン生地を前記挟持手段により挟持して抑えることを特徴とする請求項１又は２に記載の飾りリボン作成装置。
【請求項４】
前記押込み手段により前記複数のスリットに対応した放射状の複数の山折り部を有する形状に折られたリボン生地を、平面状に折り畳む折り畳み手段を備えることを特徴とする請求項１〜３のいずれか一項に記載の飾りリボン作成装置。
【請求項５】
前記折り畳み手段は、前記複数の山折り部を有する平面視円形状のリボン生地を、当該リボン生地の中心回りに回転しつつ前記複数の山折り部を先端側から軸方向に潰すことにより、前記複数の山折り部を同一の円周方向に倒して当該リボン生地を平面状に折り畳むことを特徴とする請求項４に記載の飾りリボン作成装置。
【考案の詳細な説明】
【技術分野】
【０００１】
本考案は、ひだ状のプリーツ部を有する飾りリボンを作成する飾りリボン作成装置に関する。
【背景技術】
【０００２】
従来、ひだ状のプリーツ部の中央にくるみボタンが付けられた、ロゼットなどとも呼ばれる飾りリボンが知られている。
この飾りリボンは手作りされるのが一般的であり、リボン生地をひだ状に折り畳みながら縫製して作成されたプリーツ部に、模様付きの生地を被せたくるみボタンを取り付けることで作成されていた（例えば、非特許文献１参照）。
【先行技術文献】
【非特許文献】
【０００３】
【非特許文献１】ＵＲＬ：http://d.hatena.ne.jp/gojiai/touch/20121127
【考案の概要】
【考案が解決しようとする課題】
【０００４】
しかしながら、手作りでは綺麗に形の整ったプリーツ部を作ることが難しかった。
そこで、本考案は、従来に比べ、綺麗に形の整ったプリーツ部を簡単に作成することができる飾りリボン作成装置の提供を目的とする。
【課題を解決するための手段】
【０００５】
上記目的を達成するために、請求項１に記載の考案は、ひだ状のプリーツ部を有する飾りリボンを作成する飾りリボン作成装置であって、
略円柱状に形成され、その軸方向に開口するとともに円周方向に所定間隔で配列された放射状の複数のスリットを有するドラムと、
前記ドラムの軸方向に設けられ、当該軸方向に沿って前記複数のスリット内に個別にリボン生地を押込み可能な押込み手段と、
を備え、
前記ドラムを回転させながら、前記押込み手段により長尺なリボン生地を前記複数のスリット内に順次押し込むことで、前記プリーツ部を作成することを特徴とする。
【０００６】
請求項２に記載の考案は、請求項１に記載の飾りリボン作成装置において、
前記押込み手段に対し前記ドラムの回転方向の上流側に設けられ、長尺なリボン生地を前記押込み手段に向かって送り出す生地送り手段を備え、
前記生地送り手段は、前記リボン生地を、前記ドラムの内径側から外径側に向かうに連れて当該ドラムから離間するように幅方向に傾斜させた状態で、前記押込み手段に向かって送り出すことを特徴とする。
【０００７】
請求項３に記載の考案は、請求項１又は２に記載の飾りリボン作成装置において、
前記押込み手段に対し前記ドラムの回転方向の下流側に設けられ、前記ドラムの軸方向の端面との間でリボン生地を挟持可能な挟持手段を備え、
前記押込み手段がスリット内にリボン生地を押し込むときに、当該スリットと前記回転方向の下流側に隣接する他のスリットとの間に位置するリボン生地を前記挟持手段により挟持して抑えることを特徴とする。
【０００８】
請求項４に記載の考案は、請求項１〜３のいずれか一項に記載の飾りリボン作成装置において、
前記押込み手段により前記複数のスリットに対応した放射状の複数の山折り部を有する形状に折られたリボン生地を、平面状に折り畳む折り畳み手段を備えることを特徴とする。
【０００９】
請求項５に記載の考案は、請求項４に記載の飾りリボン作成装置において、
前記折り畳み手段は、前記複数の山折り部を有する平面視円形状のリボン生地を、当該リボン生地の中心回りに回転しつつ前記複数の山折り部を先端側から軸方向に潰すことにより、前記複数の山折り部を同一の円周方向に倒して当該リボン生地を平面状に折り畳むことを特徴とする。
【考案の効果】
【００１０】
請求項１に記載の考案によれば、放射状の複数のスリットを有するドラムを回転させながら、押込み手段により複数のスリット内にリボン生地を順次押し込んでいくことにより、プリーツ部が作成される。したがって、プリーツ部を手作りしていた従来に比べ、綺麗に形の整ったプリーツ部を簡単に作成することができる。
【００１１】
請求項２に記載の考案によれば、押込み手段に対しドラムの回転方向の上流側に設けられた生地送り手段が、リボン生地を、ドラムの内径側から外径側に向かうに連れて当該ドラムから離間するように幅方向に傾斜させた状態で、押込み手段に向かって送り出す。したがって、ドラムの内径側と外径側でのリボン生地の送り量の差を好適に補って、リボン生地をドラムに合わせて好適に回転させることができる。
【００１２】
請求項３に記載の考案によれば、押込み手段がスリット内にリボン生地を押し込むときに、当該スリットとドラム回転方向の下流側に隣接する他のスリットとの間に位置するリボン生地が、挟持手段により挟持されて抑えられる。したがって、押込み手段がリボン生地を押し込むときの張力が、その下流側で既にスリット内に押し込まれ済みのリボン生地に掛かることがなく、当該押し込まれ済みのリボン生地をスリットから抜いてしまうことがない。
【図面の簡単な説明】
【００１３】
【図１】飾りリボン作成装置の全体構成を示す斜視図である。
【図２】（ａ）装置本体の平面図であり、（ｂ）生地送り部の側面図である。
【図３】第一ボタンアームの構成を説明するための図である。
【図４】第二ボタンアームの構成を説明するための図である。
【図５】第二ボタンアームの構成を説明するための図である。
【図６】ドラムの構成を説明するための図である。
【図７】くるみボタンユニットのボタン上部パーツの構成を説明するための図である。
【図８】くるみボタンユニットのボタン下部パーツの構成を説明するための図である。
【図９】飾りリボン作成装置の動作を説明するための図である。
【図１０】飾りリボン作成装置の動作を説明するための図である。
【図１１】飾りリボン作成装置の動作を説明するための図である。
【図１２】飾りリボン作成装置の動作を説明するための図である。
【考案を実施するための形態】
【００１４】
以下、本考案の実施形態について、図面を参照して説明する。
【００１５】
［構成］
まず、本実施形態における飾りリボン作成装置１の構成について説明する。
図１は、飾りリボン作成装置１の全体構成を示す斜視図であり、図２（ａ）は、飾りリボン作成装置１の装置本体２の平面図であり、図２（ｂ）は、この装置本体２のうち後述する生地送り部２３の側面図である。
【００１６】
飾りリボン作成装置１は、ロゼットとも呼ばれる飾りリボンＲを作成するための装置である。この飾りリボン作成装置１が作成する飾りリボンＲは、ひだ状の周囲のプリーツ部Ｒ１と、中央のくるみボタンＲ２とを有するものであり、本実施形態では、さらに２本の垂れリボンＲ３が付けられたものとなっている（図１２（ｃ）参照）。
具体的には、図１に示すように、飾りリボン作成装置１は、装置本体２、第一ボタンアーム３、第二ボタンアーム４、ドラム５、くるみボタンユニット６（ボタン上部パーツ６１及びボタン下部パーツ６２）を備えて構成されている。
【００１７】
装置本体２は、図１及び図２（ａ）に示すように、略平板状の台座部２１を有している。この台座部２１は、一方の略半部が半円板状に形成され、他方の略半部が矩形板状に形成されている。
なお、以下の説明において、「前」「後」「左」「右」との方向の記載は、特に断りのない限り、半円板状の半部側を前側として台座部２１から見た各方向を意味するものとする。
【００１８】
台座部２１の平面視略中央には、ドラム５や、くるみボタンユニット６のボタン下部パーツ６２が設置される設置部２１１が設けられている。
設置部２１１の中央には、ドラム５を支持するための円形凹部２１１ａが設けられている。この円形凹部２１１ａは、同心の段付き円柱状に形成されており、後述するドラム５の下部軸部５１１（図６（ｂ）参照）が嵌合するようになっている。
円形凹部２１１ａのうち、上側の大径部には、先端半円柱状のフック部２１１ｂが、後方の内周面から出没自在に設けられている。このフック部２１１ｂは、円形凹部２１１ａの中心に向かって付勢されており、常態で円形凹部２１１ａの内周面から突出している。
また、フック部２１１ｂは、図示しない音出し機構により、出没時に「カチッ」というクリック音を発するように構成されている。
【００１９】
設置部２１１のうち、円形凹部２１１ａの周囲には、くるみボタンユニット６のボタン下部パーツ６２を支持するための、やや浅めの面状凹部２１１ｃが設けられている。この面状凹部２１１ｃは、ボタン下部パーツ６２の裏面形状（図８（ｂ）参照）に対応した外形形状に形成されるとともに、当該凹部内のうち円形凹部２１１ａを挟んだその左右両側に、ボタン下部パーツ６２の裏面に突設された２つのゴム取付部６２４（図８（ｂ）参照）に対応した２つの凹部２１１ｄを有している。
【００２０】
台座部２１の後端部には、第一ボタンアーム３及び第二ボタンアーム４を支持するためのアーム支持部２２が、円形凹部２１１ａの後方に立設されている。このアーム支持部２２は、第一ボタンアーム３または第二ボタンアーム４のアーム部３３，４３の後端が嵌合される側面視Ｌ字状の切欠き部２２１を上端部前側に有している。切欠き部２２１の左右両側面には、後述するアーム部３３，４３の２つの係止部３３１，４３１が係止される２つの係止孔２２１ａが設けられている。また、各係止孔２２１ａには、当該係止孔２２１ａよりもやや浅いガイド溝２２１ｂが、上下方向に沿ってアーム支持部２２の上面まで連通している。
【００２１】
台座部２１の後部右端部には、プリーツ部Ｒ１の作成時に長尺なリボン生地Ｃ（図９参照）を送り出す生地送り部２３が立設されている。この生地送り部２３の上端には、図２（ｂ）に示すように、リボン生地Ｃを上下に挟持する固定部２３１及び可動部２３２が設けられている。このうち固定部２３１は、下面が平坦な略半円柱状に形成されており、一方の可動部２３２は、平坦な上面を有しつつ上下に移動可能なように固定部２３１の下側に設けられている。また可動部２３２は、固定部２３１の下面と当該可動部２３２の上面との間で適度な力でリボン生地Ｃを挟持するように、上方へ付勢されている。これら固定部２３１及び可動部２３２は、前端が設置部２１１中央の円形凹部２１１ａの後端と略同一の前後方向位置に設けられつつ、当該前端から後上がりに傾斜しつつ前後に長尺に設けられている。
【００２２】
図３は、第一ボタンアーム３の構成を説明するための図であり、このうち、（ａ）が、第一ボタンアーム３を下側から見た斜視図であり、（ｂ）が、後述するボタンケース３１の中央における前後方向と直交する面での第一ボタンアーム３の断面図である。
第一ボタンアーム３は、図３（ａ）に示すように、略円筒状のボタンケース３１と、ボタンケース３１から上方に突出したボタン部材３２と、ボタンケース３１から後方に延出したアーム部３３とを有している。
なお、ここでは、第一ボタンアーム３が装置本体２に装着された図１に示す状態にあるものとして、当該第一ボタンアーム３の構成について説明する。
【００２３】
アーム部３３の後端部の両側面には、突出状態に付勢された出没自在な２つの係止部３３１（図３（ａ）では左側のもののみ図示）が設けられている。そして、アーム部３３の後端部を上方からアーム支持部２２の切欠き部２２１内に嵌めるようにして、２つの係止部３３１をアーム支持部２２の２つの係止孔２２１ａに係止することにより、第一ボタンアーム３がアーム支持部２２に装着されるようになっている（図２（ａ）参照）。
ボタンケース３１は、第一ボタンアーム３が装置本体２に装着された状態では、その中心が装置本体２の円形凹部２１１ａよりやや後方に位置するようになっている（図２（ａ）参照）。
ボタンケース３１及びアーム部３３の下面には、プリーツ部Ｒ１作成時にリボン生地Ｃを左右方向に沿うようガイドするための生地ガイド部３４が設けられている。この生地ガイド部３４は、ボタンケース３１の後部からアーム部３３の後部に掛けて設けられたガイドレール３４１に沿って、前後に移動可能となっている。
【００２４】
第一ボタンアーム３のボタンケース３１内には、図３（ｂ）に示すように、ボタン部材３２が下方に押下されるに伴ってボタンケース３１の下面から下方に突出する押込み部３５及び挟持部３６が収容されている。
このうち、押込み部３５は、後述するドラム５のスリット５２ａ内にリボン生地Ｃを押し込むためのものである。この押込み部３５は、左右方向と直交する略平板状に形成されてボタンケース３１の平面視略中央に設けられ、ボタン部材３２の底板３２１と一体的に構成されている。
【００２５】
一方、挟持部３６は、押込み部３５がリボン生地Ｃを押し込む際にその脇のリボン生地Ｃ部分をドラム５の上面との間で挟持するものであり、左右方向と直交する略矩形板状に形成されて、押込み部３５の直ぐ左方に配置されている。より詳しくは、挟持部３６は、ボタン部材３２の底板３２１の貫通孔に挿通されて上端部がボタン部材３２内に位置しており、この上端部が底板３２１の上面と当接するとともに、ボタン部材３２内に設けられた付勢ばね３２２によって下方へ付勢されている。また、挟持部３６は、ボタン部材３２の底板３２１と当接する上端部よりも下側の部分が、右方に開口するコ字状に形成されており、この開口内に固定された矩形板状のシリコン部材３６１を有している。このシリコン部材３６１の下端は挟持部３６よりもやや下側まで突出しており、当該シリコン部材３６１がリボン生地Ｃを抑えるようになっている。
また、ボタンケース３１内では、図示しない付勢部材によりボタン部材３２が上方に付勢されており、当該ボタン部材３２が常態で移動範囲内の上端に位置するようになっている。
【００２６】
図４は、第二ボタンアーム４の構成を説明するための図であり、このうち、（ａ）が、第二ボタンアーム４を下側から見た斜視図であり、（ｂ）が、後述するボタンケース４１の中央における前後方向と直交する面での第二ボタンアーム４の断面図である。また、図５は、第二ボタンアーム４のうち、後述するボタンケース４１の下部ケース４１２と折り畳み部材４４の外筒部４４３との構成を説明するための斜視図である。
第二ボタンアーム４は、図４（ａ），（ｂ）に示すように、略円筒状のボタンケース４１と、ボタンケース４１から上方に突出したボタン部材４２と、ボタンケース４１から後方に延出したアーム部４３とを有している。
なお、ここでは、第二ボタンアーム４が、装置本体２に装着された図１に示す第一ボタンアーム３と同じ状態にあるものとして、当該第二ボタンアーム４の構成について説明する。
アーム部４３後端部の両側面には、突出状態に付勢された出没自在な２つの係止部４３１（図４（ａ）では左側のもののみ図示）が設けられている。そして、アーム部４３の後端部を上方からアーム支持部２２の切欠き部２２１内に嵌めるようにして、２つの係止部４３１をアーム支持部２２の２つの係止孔２２１ａに係止することにより、第二ボタンアーム４がアーム支持部２２に装着されるようになっている（図２参照）。
【００２７】
第二ボタンアーム４のボタンケース４１内には、後述するように、複数の山折り部を有する形状に形成されたリボン生地Ｃを平面状に折り畳むための折り畳み部材４４が収容されている。
この折り畳み部材４４は、くるみボタンユニット６のボタン上部パーツ６１を把持するための把持部４４１と、把持部４４１の平面視中央から上方に延出する円筒状の内筒部４４２と、把持部４４１の周縁部から上方に延出する円筒状の外筒部４４３とを有している。
【００２８】
このうち、把持部４４１は、下方に開口する平面視円形の略お椀状に形成されており、その下面がボタンケース４１から下方に露出している。把持部４４１の下端の周縁部には、ボタン上部パーツ６１を把持するための３つの把持爪４４１ａと、複数の突起部４４１ｂとが形成されている。
３つの把持爪４４１ａは、把持部４４１の周縁部に周上３等配で設けられるとともに、把持部４４１の内径側向きに突出した係止突起をそれぞれの先端（下端）に有しており、ボタン上部パーツ６１の周縁部を把持可能となっている。
複数の突起部４４１ｂは、側面視で右側に傾斜辺がある略直角三角形の片刃鋸歯状にそれぞれ形成されており、３つの把持爪４４１ａを除く把持部４４１の周縁部の全周に亘って設けられている。
また、把持部４４１は、第二ボタンアーム４が装置本体２（アーム支持部２２）に装着されたときに、その平面視での中心が装置本体２の円形凹部２１１ａの中心と略一致するように設けられている（図２（ａ）参照）。
【００２９】
内筒部４４２は、把持部４４１と同心状に設けられるとともに、ボタン部材４２の上板から下方に延出する円筒部４２１の外周面に対し、円周方向及び軸方向の何れにも摺動可能に嵌合している。また、内筒部４４２は、その上端面が、ボタン部材４２の円筒部４２１上半部の外周面から放射状に立設された複数のリブ４２２と当接可能に設けられており、ボタン部材４２が下方に押下されるに伴ってボタン部材４２の複数のリブ４２２が上端面と当接することにより、当該ボタン部材４２とともに下方に移動するように構成されている。
【００３０】
外筒部４４３は、把持部４４１及び内筒部４４２と同心状に設けられるとともに、図５に示すように、その外周面の上端部に周上３等配で設けられた円柱状の３つの案内突起４４３ａ（図５では１つのみ図示）を有している。
３つの案内突起４４３ａは、折り畳み部材４４がボタンケース４１に対して上下方向に移動するときに、ボタンケース４１を構成する上部ケース４１１及び下部ケース４１２の各内周壁４１１ａ，４１２ａと当接する。
具体的には、下部ケース４１２の内周壁４１２ａは、外筒部４４３の外径側を覆うとともに、その上縁部が側面視で左下がりに傾斜した後に平坦になる部分を、３つの案内突起４４３ａに対応して周上に３つ有している。そして、折り畳み部材４４が下方に移動するときに、この下部ケース４１２の内周壁４１２ａの上面に各案内突起４４３ａが当接するようになっている。
また、上部ケース４１１の内周壁４１１ａは、図示は省略するが、下部ケース４１２の内周壁４１２ａとの間に案内突起４４３ａを挟むようにして、当該下部ケース４１２の内周壁４１２ａと同じ径方向位置で外筒部４４３の外径側を覆っている。つまり、上部ケース４１１の内周壁４１１ａは、下部ケース４１２の内周壁４１２ａと同様に、その下縁部が側面視で左下がりに傾斜した後に平坦になる部分を、３つの案内突起４４３ａに対応して周上に３カ所有している。そして、折り畳み部材４４が上方に移動するときに、この上部ケース４１１の内周壁４１１ａの下面に各案内突起４４３ａが当接するようになっている。
【００３１】
このような構成により、折り畳み部材４４は、ボタン部材４２が下方に押下されるに伴って当該ボタン部材４２とともに下方に移動し、ボタンケース４１（下部ケース４１２）の下面から下方に突出する。このとき、折り畳み部材４４の外筒部４４３に設けられた３つの案内突起４４３ａが下部ケース４１２の内周壁４１２ａにガイドされることにより、当該折り畳み部材４４は、その中心回りに平面視（上面視）時計回りに回転しつつ、下方に移動するようになっている。
また、ボタンケース４１内では、図示しない付勢構造により折り畳み部材４４が上方に付勢されており、当該折り畳み部材４４が常態で移動範囲内の上端に所定の円周方向向きで位置するようになっている。
【００３２】
図６（ａ）〜（ｃ）は、ドラム５の構成を説明するための図である。
ドラム５は、図６（ａ）〜（ｃ）に示すように、プリーツ部Ｒ１の作成時に用いるものであり、円板状の下板部５１上に、やや低めの略円柱状のスリット部５２が同心状に設けられた形状に形成されている。
スリット部５２は、当該スリット部５２の軸方向（上方）及び外径方向に開口するとともに円周方向に所定間隔で配列された放射状の複数のスリット５２ａとを有している。各スリット５２ａ内には、シリコン部材５２１が両側壁それぞれから迫り出すように突出している。このシリコン部材５２１は、スリット５２ａ内の下端部よりもやや上側の位置が最も突出した突起部５２１ａとなっており、スリット５２ａ内で対向する２つの突起部５２１ａ間の隙間が、第一ボタンアーム３の押込み部３５の厚さと同程度となっている。
また、スリット部５２は、上面の中心部から上方に突設された上部軸部５２２を有している。
【００３３】
ドラム５の下板部５１には、スリット部５２の上部軸部５２２と同心状の下部軸部５１１が、下面から下方に突設されている。この下部軸部５１１は、装置本体２の設置部２１１中央の円形凹部２１１ａと嵌合する部分であり、当該円形凹部２１１ａに対応した同心の段付き円柱状に形成されている。
この下部軸部５１１のうち、上側（基端側）の大径部には、複数の凹部５１１ａが外周面の全周に亘って形成されている。この複数の凹部５１１ａは、円形凹部２１１ａ内のフック部２１１ｂに対応して内径方向に半円柱状に凹んだ形状にそれぞれ形成されるとともに、複数のスリット５２ａと数量及び円周方向の位置が互いに対応している。
そのため、下部軸部５１１を設置部２１１の円形凹部２１１ａに嵌合させつつドラム５を装置本体２に設置したときには、円形凹部２１１ａ内のフック部２１１ｂが嵌まった凹部５１１ａと対応するスリット５２ａが、前後方向に沿った状態となるように構成されている。またこのとき、装置本体２に第一ボタンアーム３が装着されている場合には、この前後方向に沿った状態のスリット５２ａの真上に、第一ボタンアーム３の押込み部３５が位置するようになっている。
【００３４】
図７（ａ），（ｂ）は、くるみボタンユニット６のうちのボタン上部パーツ６１の構成を説明するための図であり、図８（ａ），（ｂ）は、くるみボタンユニット６のうちのボタン下部パーツ６２の構成を説明するための図である。
くるみボタンユニット６は、プリーツ部Ｒ１とくるみボタンＲ２とを一体的に固定するためのものであり、ボタン上部パーツ６１とボタン下部パーツ６２から構成されている。
このうち、ボタン上部パーツ６１は、くるみボタンＲ２自体となるものであり、図７（ａ），（ｂ）に示すように、表面側にやや膨出した正面視円形の略お椀状に形成されている。ボタン上部パーツ６１の裏面の中心部には、円筒部６１１が立設されるとともに、この円筒部６１１を挟んだ両側に２つの係合部６１２が立設されている。各係合部６１２は、ボタン上部パーツ６１の外形と同心状に湾曲した形状に形成されるとともに、その先端に外径側へ突出した突起６１２ａを有している。
【００３５】
一方、ボタン下部パーツ６２は、図８（ａ），（ｂ）に示すように、ボタン上部パーツ６１と同程度の外径の略円環板状に形成されている。
このボタン下部パーツ６２の外径部には、この外径部を撓みやすくするための放射状のスリットが複数形成されている。また、ボタン下部パーツ６２の内径部には、ボタン上部パーツ６１の２つの係合部６１２が係合可能な円形孔６２ａが形成されている。
ボタン下部パーツ６２の表面（表側の面）のうち、円形孔６２ａを挟んだ両側部分には、後述する台紙Ｍの内径側に嵌まって中心を合わせるための２つの芯出し突起６２１が、ボタン下部パーツ６２の外形と同心状に立設されている。
ボタン下部パーツ６２の裏面には、チェーン等を取り付けるためのチェーン取付部６２２と、安全ピンを取り付けるためのピン取付部６２３と、ゴム紐等を取り付けるための２つのゴム取付部６２４とが設けられている。このうち、チェーン取付部６２２は、２つの芯出し突起６２１が並んだ方向と直交する向きに沿って最外径部から外径方向に突設されており、その先端に貫通孔６２２ａが形成されている。ピン取付部６２３は、チェーン取付部６２２と同一の円周方向位置であって当該チェーン取付部６２２と円形孔６２ａとの間の位置に、接線方向に沿った半円筒状に突設されており、内径側の端部が開口している。２つのゴム取付部６２４は、２つの芯出し突起６２１と対応する円周方向位置であって当該２つの芯出し突起６２１よりもやや外径側の位置に略台形板状に突設されており、それぞれの基端部の中央に貫通孔６２４ａが形成されている。
【００３６】
［動作］
続いて、飾りリボンを作成する際の飾りリボン作成装置１の動作について説明する。
図９〜図１２は、飾りリボン作成装置１の動作を説明するための図である。
【００３７】
飾りリボンを作成する際には、まず作成者は、図９（ａ）に示すように、装置本体２の台座部２１上にドラム５を設置するとともに、アーム支持部２２に第一ボタンアーム３を取り付ける。第一ボタンアーム３は、アーム支持部２２上に起立させておく。
そして、作成者は、生地送り部２３の固定部２３１と可動部２３２との間に長尺なリボン生地Ｃを外側（右側）から挿し込み、このリボン生地Ｃの先端側を左右方向に略沿った状態でドラム５の最後方のスリット５２ａ（以下、「後端スリット５２ａＥ」という）上に被せる。
【００３８】
次に、作成者は、図９（ｂ）に示すように、第一ボタンアーム３を前側に倒してボタンケース３１をドラム５上に位置させ、生地ガイド部３４を前後に移動させてリボン生地Ｃの後側の縁に軽く当てた状態で、ボタン部材３２を押下する。
すると、図１０（ａ）に示すように、ボタン部材３２が押下されるに伴って、第一ボタンアーム３のボタンケース３１内から押込み部３５及び挟持部３６が下方に突出してくる。これら押込み部３５及び挟持部３６は、同時に下方に移動してきた後に、挟持部３６だけが、後端スリット５２ａＥの左側のドラム５上面に当接して当該ドラム５上面との間で先端側のリボン生地Ｃを挟持する。それから、図１０（ｂ）に示すように、押込み部３５だけが後端スリット５２ａＥ内に挿し込まれ、リボン生地Ｃを当該後端スリット５２ａＥ内に押し込んでいく。
この後、ボタン部材３２の押下解除に伴って押込み部３５及び挟持部３６が上方に移動するが、後端スリット５２ａＥ内に押し込まれたリボン生地Ｃは、当該スリット５２ａ内のシリコン部材５２１の突起部５２１ａによって保持されるため、押込み部３５とともにスリット５２ａ外へ抜けてしまうことはない。
【００３９】
次に、作成者は、第一ボタンアーム３を起立させてから、ドラム５をスリット５２ａの１ピッチ分だけ平面視時計回りに手動で回す。
このとき、装置本体２の円形凹部２１１ａ内に設けられたフック部２１１ｂが、ドラム５のスリット５２ａの位置に対応した下部軸部５１１の凹部５１１ａに嵌ることにより、スリット５２ａは自動的に位置合わせされる。これにより、リボン生地Ｃが押し込まれた後端スリット５２ａＥの平面視反時計側に隣接するスリット５２ａが、次の後端スリット５２ａＥとなる。
またこのとき、生地送り部２３の固定部２３１及び可動部２３２が傾斜しているため、当該生地送り部２３は、リボン生地Ｃを、ドラム５の内径側から外径側に向かうに連れて当該ドラム５から上方に離間するように幅方向に傾斜させた状態で、押込み部３５に向かって送り出すことになる。これにより、ドラム５の内径側と外径側でのリボン生地Ｃの送り量の差を好適に補って、リボン生地Ｃをドラム５に合わせて好適に回転させることができる。
【００４０】
そして、作成者は、前回同様に第一ボタンアーム３を前側に倒してからボタン部材３２を押下し、図１０（ｃ）に示すように、後端スリット５２ａＥ内にリボン生地Ｃを押し込む。
ここで、押込み部３５が後端スリット５２ａＥ内にリボン生地Ｃを押し込むときに、挟持部３６は、前回と同様に、後端スリット５２ａＥの左側のドラム５上面に当接して当該ドラム５上面との間で先端側のリボン生地Ｃを挟持する。つまり、挟持部３６は、後端スリット５２ａＥと平面視時計回りの下流側に隣接する他のスリット５２ａ（すなわち、前回の後端スリット５２ａＥ）との間に位置するリボン生地Ｃを、ドラム５上面との間で挟持して抑える。
これにより、押込み部３５がリボン生地Ｃを押し込むときの張力が、その下流側で既にスリット５２ａ内に押し込まれ済みのリボン生地Ｃに掛かることがなく、この押し込まれ済みのリボン生地Ｃをスリット５２ａから抜いてしまうことがない。
【００４１】
そして、作成者は、同様の作業を繰り返すことにより、ドラム５を回転させながら、押込み部３５によりリボン生地Ｃを複数のスリット５２ａ内に順次押し込んでいく。こうして、ドラム５が一周することにより全てのスリット５２ａにリボン生地Ｃが押し込まれる。
【００４２】
次に、作成者は、第一ボタンアーム３を起立させ、スリット５２ａからはみ出たリボン生地Ｃの両端を切断した後に、図１１（ａ）に示すように、ドラム５に押し込まれたリボン生地Ｃの上面に円環板状の台紙Ｍを貼付する。これにより、プリーツ部Ｒ１の原型となる、複数のスリット５２ａに対応した放射状の複数の山折り部を有するリボン生地Ｃ（以下、「プリーツ原型Ｃ１」という）の形状が固定される。このとき、台紙Ｍは、ドラム５の上部軸部５２２の外径部が当該台紙Ｍの内径側に嵌まることにより、ドラム５に対して芯出しされる。
それから、作成者は、台紙Ｍの上面に、リボン生地Ｃの切れ端などを利用した２本の垂れリボンＲ３を貼付する。
そして、作成者は、スリット５２ａ内に押し込まれたリボン生地Ｃ部分を順次抜くようにして、プリーツ原型Ｃ１をドラム５から取り外す。
【００４３】
次に、作成者は、図１１（ｂ）に示すように、装置本体２のアーム支持部２２に装着された第一ボタンアーム３を第二ボタンアーム４に換装するとともに、この第二ボタンアーム４のボタンケース４１から露出した折り畳み部材４４の把持部４４１に、くるみボタンユニット６のボタン上部パーツ６１を取り付ける。
このとき、くるみボタンＲ２となるボタン上部パーツ６１には、あらかじめ表面側（凸面側）にボタン生地Ｂを被せて、このボタン生地Ｂの端を裏面に貼り付けておく。そして、作成者は、ボタン生地Ｂを被せたボタン上部パーツ６１を、表面側を把持部４４１側に向けつつ周縁部を把持部４４１の３つの把持爪４４１ａに把持させるようにして、当該ボタン上部パーツ６１を第二ボタンアーム４の折り畳み部材４４に取り付ける。
【００４４】
また、作成者は、装置本体２の設置部２１１からドラム５を取り外して、この設置部２１１上にくるみボタンユニット６のボタン下部パーツ６２を載置する。
このとき、ボタン下部パーツ６２は、裏面側が設置部２１１の面状凹部２１１ｃに適切に嵌められることにより、表面側を上方に向けつつチェーン取付部６２２を後方に向けた状態で、設置部２１１の円形凹部２１１ａと同心状に載置される。
それから、作成者は、設置部２１１上に載置したボタン下部パーツ６２の上に、複数の山折り部を上向きにした状態のプリーツ原型Ｃ１を載せる。このとき、ボタン下部パーツ６２の表面に立設された２つの芯出し突起６２１が台紙Ｍの内径側に嵌まることにより、プリーツ原型Ｃ１がボタン下部パーツ６２に対して芯出しされる。またこのとき、作成者は、２つの垂れリボンＲ３が前側に位置するようにプリーツ原型Ｃ１を載置する。
【００４５】
次に、作成者は、図１２（ａ）に示すように、第二ボタンアーム４を前側に倒してボタンケース４１をプリーツ原型Ｃ１上に位置させた状態で、ボタン部材４２を押下する。
すると、図１２（ｂ）に示すように、ボタン部材４２が下方に押下されるに伴って、ボタンケース４１内の折り畳み部材４４が、その中心回りに平面視時計回りに回転しつつ、ボタンケース４１から突出して下方に移動する。そして、折り畳み部材４４は、上向きの複数の山折り部を有する平面視円形状のプリーツ原型Ｃ１を、当該プリーツ原型Ｃ１の中心回りに回転しつつ、この複数の山折り部を先端側から下方に向かって潰していく。これにより、プリーツ原型Ｃ１の複数の山折り部が折り畳み部材４４の複数の突起部４４１ｂに引掛けられて同一の円周方向に倒される。こうして、プリーツ原型Ｃ１が平面状に折り畳まれ、プリーツ部Ｒ１が作成される。
同時に、折り畳み部材４４に把持されたボタン上部パーツ６１が、その裏面に立設された２つの係合部６１２をボタン下部パーツ６２の円形孔６２ａに係合させることにより、これらボタン上部パーツ６１及びボタン下部パーツ６２が固定される。
【００４６】
こうして、図１２（ｃ）に示すように、ひだ状のプリーツ部Ｒ１の中央にくるみボタンＲ２が付けられ、さらに２本の垂れリボンＲ３が付けられた飾りリボンＲが作成される。あとは、チェーンや安全ピン、ゴム紐等を、作成者が好みに応じてボタン下部パーツ６２裏面各部に取り付ければよい。
【００４７】
［効果］
以上のように、本実施形態の飾りリボン作成装置１によれば、放射状の複数のスリット５２ａを有するドラム５を回転させながら、第一ボタンアーム３の押込み部３５により複数のスリット５２ａ内にリボン生地Ｃを順次押し込んでいくことにより、プリーツ部Ｒ１（プリーツ原型Ｃ１）が作成される。したがって、プリーツ部Ｒ１を手作りしていた従来に比べ、綺麗に形の整ったプリーツ部Ｒ１を簡単に作成することができる。
【００４８】
また、押込み部３５に対しドラム５の回転方向の上流側（本実施形態では右側）に設けられた装置本体２の生地送り部２３は、リボン生地Ｃを、ドラム５の内径側から外径側に向かうに連れて当該ドラム５から上方に離間するように幅方向に傾斜させた状態で、押込み部３５に向かって送り出す。したがって、ドラム５の内径側と外径側でのリボン生地Ｃの送り量の差を好適に補って、リボン生地Ｃをドラム５に合わせて好適に回転させることができる。
【００４９】
また、押込み部３５がスリット５２ａ内にリボン生地Ｃを押し込むときに、当該スリット５２ａとドラム５の回転方向の下流側に隣接する他のスリット５２ａとの間に位置するリボン生地Ｃが、挟持部３６により挟持されて抑えられる。したがって、押込み部３５がリボン生地Ｃを押し込むときの張力が、その下流側で既にスリット５２ａ内に押し込まれ済みのリボン生地Ｃに掛かることがなく、当該押し込まれ済みのリボン生地Ｃをスリット５２ａから抜いてしまうことがない。
【００５０】
［変形例］
なお、本考案は上記実施形態に限定して解釈されるべきではなく、適宜変更・改良が可能であることは勿論である。
【００５１】
例えば、ドラム５のサイズやスリット５２ａの数は特に限定されず、所望のプリーツ部Ｒ１のサイズやひだ数に応じたものとすることができる。
【符号の説明】
【００５２】
１          リボン作成装置
２          装置本体
２１      台座部
２２      アーム支持部
２３      生地送り部
２３１  固定部
２３２  可動部
３          第一ボタンアーム
３５      押込み部
３６      挟持部
３６１  シリコン部材
４          第二ボタンアーム
４４      折り畳み部材
４４１  把持部
５          ドラム
５２ａ    スリット
５２１  シリコン部材
６          くるみボタンユニット
６１      ボタン上部パーツ
６２      ボタン下部パーツ
Ｃ          リボン生地
Ｃ１        プリーツ原型
Ｍ          台紙
Ｒ          飾りリボン
Ｒ１      プリーツ部
Ｒ２      くるみボタン
Ｒ３      垂れリボン
【図１】
0003202693.tif 000003
【図２】
0003202693.tif 000004
【図３】
0003202693.tif 000005
【図４】
0003202693.tif 000006
【図５】
0003202693.tif 000007
【図６】
0003202693.tif 000008
【図７】
0003202693.tif 000009
【図８】
0003202693.tif 000010
【図９】
0003202693.tif 000011
【図１０】
0003202693.tif 000012
【図１１】
0003202693.tif 000013
【図１２】
0003202693.tif 000014